(57)【要約】【課題】本発明は、宝飾品の高級感を引き立てることができ、かつ、宝飾品の保護にも適した素材と表面加工を採用した商品陳列スタンドを提供することを目的とする。【解決手段】本発明の商品陳列スタンド１０は、宝飾品を陳列するためにシリコーンゴムで成形されたスタンドであって、表面にシボ加工を施したことを特徴とする。本発明の商品陳列スタンド１０は、シリコーンゴムで成形され、表面にシボ加工を施されることによって、布地を用いずとも、あたかも台座に布地を貼付したスタンドであるように見せかけることができる。また、素材の特性として、シボ加工の模様づけや着色が自在であるため、布地では困難なバリエーション豊かな質感を表現することが可能である。さらに、商品陳列スタンド１０は弾性を有し、物質としても安定的であるため、商品の保護にも適している。【選択図】図１
2020010848.tif 000002
【特許請求の範囲】
【請求項１】
宝飾品を陳列するためにシリコーンゴムで成形された商品陳列スタンドであって、表面にシボ加工を施したことを特徴とする商品陳列スタンド。
【発明の詳細な説明】
【技術分野】
【０００１】
本発明は、商品を陳列するために使用されるスタンドに関するものであり、詳しくは、身体装飾品用の陳列スタンドに関するものである。
【背景技術】
【０００２】
宝飾品を商品として陳列するためのスタンドは、ネックレスを吊り下げることができるネックレススタンド、指輪を立てた状態で保持できるケースなど、宝飾品の種類、用途に合わせて、様々な形状のものが用いられる。宝飾品の高級感を引き立てるために、これらの陳列スタンドの基部となる台座に、鮮やかに彩色されたフェルト、サテンといった布地を覆うといった手法がしばしば採用されている。
【発明の概要】
【発明が解決しようとする課題】
【０００３】
台座を布地で覆った陳列スタンドは、宝飾品の見栄えをよくする効果はあるものの、製作に工数を要するという課題がある。基部となる台座には曲面が多用されるため、布地を張る工程の自動化も困難である。布地を用いない、例えばプラスチックのみで製造された陳列スタンドは、安価であるものの質感を欠き、その上、表面が硬いことから、宝飾品の保護という観点でも不都合がある。
【０００４】
そこで、本発明は、宝飾品の高級感を引き立てることができ、かつ、宝飾品の保護にも適した素材と表面加工を採用した商品陳列スタンドを提供することを目的とする。
【課題を解決するための手段】
【０００５】
すなわち、本発明は前記した目的を達成せんとするもので、本発明の商品陳列スタンドは、宝飾品を陳列するためにシリコーンゴムで成形された商品陳列スタンドであって、表面にシボ加工を施したことを特徴とする。
【発明の効果】
【０００６】
本発明の商品陳列スタンドは、シリコーンゴムで成形され、表面にシボ加工を施されることによって、布地を用いずとも、あたかも台座に布地を貼付した商品陳列スタンドであるように見せかけることができる。また、素材の特性として、シボ加工の模様づけや着色が自在であるため、布地では困難なバリエーション豊かな質感を表現することが可能である。さらに、商品陳列スタンドは弾性を有し、物質としても安定的であるため、商品の保護にも適している。
【図面の簡単な説明】
【０００７】
【図１】ネックレス用として成形した本発明の商品陳列スタンドの斜視図である。
【図２】本発明の商品陳列スタンドの表面の拡大図である。
【図３】ネックレス用として成形した本発明の商品陳列スタンドの斜視図である。
【図４】ピアス用として成形した本発明の商品陳列スタンドの斜視図である。
【図５】リング用として成形した本発明の商品陳列スタンドの斜視図である。
【図６】ネックレスまたはピアス用として成形した本発明の商品陳列スタンドの斜視図である。
【図７】リング用として成形した本発明の商品陳列スタンドの斜視図である。
【図８】ネックレス用として成形した本発明の商品陳列スタンドの斜視図である。
【図９】リング用として成形した本発明の商品陳列スタンドの斜視図である。
【発明を実施するための形態】
【０００８】
以下、図面を参照しながら、本発明について実施するための形態を説明する。
【実施例１】
【０００９】
図１（ａ）は、宝飾品のうち、特にネックレスに適した、人体の上半身、特に首部と胴体上部に模して成形した本発明の商品陳列スタンド１０の斜視図である。商品陳列スタンド１０は、正面側は膨らみがある曲面、側面と背面はくびれた形状である。図１（ｂ）は、商品陳列スタンド１０にネックレス１１を掛けた状態を表す。ネックレス１１は、チェーンが商品陳列スタンド１０の両肩部に設けられた切り込み部１２に掛けられる。このとき、余分なチェーンは商品陳列スタンド１０の後方に束ねて隠される。
【００１０】
切り込み部１２は、商品陳列スタンド１０の成形の後に、切削により形成される。切り込み部１２の幅は、チェーンの太さに合わせて適宜決定するが、チェーンより細くする。切り込み部１２の弾性によって、チェーンを弾性保持するとともに、チェーンの着脱が容易な構造となっている。
【００１１】
本発明の商品陳列スタンド１０の素材は熱硬化性シリコーンゴムである。本発明の商品陳列スタンド１０の熱硬化性シリコーンゴムは、オルガノシロキサンに補強材を混合した液状の原料を加熱することによって成形されたエラストマーである。
【００１２】
本発明の商品陳列スタンド１０の素材に用いられる熱硬化性シリコーンゴムの原料の組成は、架橋の主鎖を構成するオルガノシロキサンとしてのビニル末端ポリジメチルシロキサンを主成分とし、シリカを補強材、また、シラノール末端ポリジメチルシロキサンを、主成分や補強材のための分散性の向上や粘度の低下のための加工助剤として含む。配合比率は、ビニル末端ポリジメチルシロキサンが５５ないし７５重量％、シリカが２０ないし４０重量％、シラノール末端ポリジメチルシロキサンが５重量％以下である。
【００１３】
本発明の主成分であるビニル末端ポリジメチルシロキサンは、ラジカル反応開始材を加えて加熱することで生じるビニル基とメチル基の架橋結合を端緒として、メチル基同士および架橋結合とメチル基のさらなる架橋結合を繰り返してエラストマーとなる。開始剤としては、公知の過酸化物触媒が適切である。過酸化物触媒は、加熱によって分解または揮発して除去される。このようにして成形されたエラストマーは、着色剤を原料に混合して着色が可能であり、成形後の着色も容易である。また、主鎖のシロキサン結合の特性により、高い安定性、引っ張り強度、引き裂き強度を示し、耐候性、耐久性に優れる。
【００１４】
なお、架橋の主鎖を構成するオルガノシロキサンは、ビニル末端ポリジメチルシロキサンに限定せずともよく、用途に合わせて、例えば、ポリメチルビニルシロキサン、ポリフェニルビニルシロキサンおよび、これらポリシロキサンの共重合体を用いてもよい。
【００１５】
また、本発明の商品陳列スタンド１０は、表面にシボ加工を施している。シボ加工は、成形時の型の内側にブラスト加工することで、商品陳列スタンド１０の表面に模様を付ける。図２は、本発明の商品陳列スタンド１０の表面の拡大図であり、シボ加工の一例を表すものであるが、シボ加工は図２に示すものに限らず、あらゆる模様を商品陳列スタンド１０に施すことが可能である。また、商品陳列スタンド１０は着色も自在であるため、布地では困難なバリエーション豊かな質感を表現することが可能である。シボ加工が施されることによって、布地を用いずとも、あたかも台座に布地を貼付したスタンドであるように見せることができる。また、素材の特性として、商品陳列スタンド１０は弾性を有し、物質としても安定的であるため、貴金属との接触があっても貴金属への影響が無く、商品の保護にも適している。
【実施例２】
【００１６】
以下の実施例２から実施例４までは、スタンドの部品の一部を共通化する例である。
図３（ａ）は、宝飾品のうち、特にネックレスに適した本発明の商品陳列スタンド２０の斜視図である。また、図３（ｂ）は、商品陳列スタンド２０にネックレス２１を掛けた状態を表す。商品陳列スタンド２０は、ネックレス２１を掛ける本体部２２と、本体部２２を支持する支柱２３と、支柱２３を支持する台座２４からなる。本体部２２は、正面側は膨らみがある球面状に成形され、やや突出した首部と、裏側下方に支柱２３との接続部とを有する。支柱２３は、下部に台座２４との接続部とを有する。ネックレス２１は、チェーンが商品陳列スタンド２０の両肩部に設けられた切り込み部２５に掛けられる。このとき、余分なチェーンは商品陳列スタンド２０の後方に束ねて隠される。
【００１７】
切り込み部２５は、商品陳列スタンド２０の本体部２２の成形の後に、切削により形成される。切り込み部２５の幅は、チェーンの太さに合わせて適宜決定するが、チェーンより細くする。切り込み部２５の弾性によって、チェーンを弾性保持するとともに、チェーンの着脱が容易な構造となっている。
【００１８】
なお、本発明の商品陳列スタンド２０の素材およびシボ加工に関しては、実施例１の商品陳列スタンド１０と同様である。本体部２２のみならず、支柱２３および台座２４も熱硬化性シリコーンゴムで成形し、シボ加工を施してもよい。支柱２３および台座２４のその他の素材としては、硬化プラスチック、金属、木などが用いられる。
【実施例３】
【００１９】
図４（ａ）は、宝飾品のうち、特にピアスに適した本発明の商品陳列スタンド３０の斜視図である。また、図４（ｂ）は、商品陳列スタンド３０にピアス３１を掛けた状態を表す。商品陳列スタンド３０は、ピアス３１を掛ける本体部３２と、本体部３２を支持する支柱３３と、支柱３３と接続される台座３４からなる。本体部３２は、並列にピアス３１を掛けるためのホール３５が２ヶ所に形成されており、裏側に支柱３３との接続部を有する。支柱３３は、下部に台座３４との接続部とを有する。ピアス３１は、ピアスポストがホール３５に掛けられる。
【００２０】
ホール３５は、商品陳列スタンド３０の本体部３２の成形の後に、穿孔により形成される。ホール３５の径は、ピアスポストの径に合わせて適宜決定する。
【００２１】
なお、本発明の商品陳列スタンド３０の素材およびシボ加工に関しては、実施例１の商品陳列スタンド１０と同様である。本体部３２のみならず、支柱３３および台座３４も熱硬化性シリコーンゴムで成形し、シボ加工を施してもよい。支柱３３および台座３４のその他の素材としては、硬化プラスチック、金属、木などが用いられる。
【実施例４】
【００２２】
図５（ａ）は、宝飾品のうち、特にリングに適した本発明の商品陳列スタンド４０の斜視図である。また、図５（ｂ）は、商品陳列スタンド４０にリング４１を掛けた状態を表す。商品陳列スタンド４０は、リング４１を掛ける本体部４２と、本体部４２を支持する支柱４３と、支柱４３と接続される台座４４からなる。本体部４２は、環の一部が切れた形状であり、本体部４２の下部に支柱４３との接続部を有する。支柱４３は、下部に台座４４との接続部とを有する。リング４１は、腕部が本体部４２の環に保持される。
【００２３】
なお、本発明の商品陳列スタンド４０の素材およびシボ加工に関しては、実施例１の商品陳列スタンド１０と同様である。本体部４２のみならず、支柱４３および台座４４も熱硬化性シリコーンゴムで成形し、シボ加工を施してもよい。支柱４３および台座４４のその他の素材としては、硬化プラスチック、金属、木などが用いられる。
【００２４】
ここで、実施例２の台座２４、実施例３の台座３４および実施例４の台座４４は、同一の形状とすることが好ましい。部品の共通化によって、コストを削減することと、各種の宝飾品の展示に際して統一感を表すことができる。
【実施例５】
【００２５】
図６（ａ）は、宝飾品のうち、特にネックレスとピアスのどちらにも適した本発明の商品陳列スタンド５０の斜視図である。また、図６（ｂ）は、商品陳列スタンド５０にネックレス５１を掛けた状態を表す。商品陳列スタンド５０は、下部は奥行きがあり、正面および背面は曲面状であり、上部に行くに従って奥行きが減少するように成形される。ネックレス５１は、チェーンが商品陳列スタンド５０の上部２箇所の切り込み部５２に掛けられる。このとき、余分なチェーンは商品陳列スタンド３０の後方に束ねて隠される。商品陳列スタンド３０の背面には、余分なチェーンを収納する空洞部（図示せず）が設けられている。図５（ｃ）は、商品陳列スタンド５０にピアス５３を掛けた状態を表す。商品陳列スタンド５０にピアス５３を陳列する場合は、ピアスポストが切り込み部５２に掛けられる。
【００２６】
切り込み部５２は、商品陳列スタンド５０の成形の後に、切削により形成される。切り込み部５２の幅は、チェーンの太さまたはピアスポストの径に合わせて適宜決定するが、チェーンまたはピアスポストより細くする。切り込み部５２の弾性によって、チェーンまたはピアスポストを弾性保持するとともに、チェーンまたはピアスポストの着脱が容易な構造となっている。
【００２７】
なお、本発明の商品陳列スタンド５０の素材およびシボ加工に関しては、実施例１の商品陳列スタンド１０と同様である。
【実施例６】
【００２８】
以下の実施例６から実施例８までは、箱型のスタンドの例である。
図７（ａ）は、宝飾品のうち、特にリングに適した本発明の商品陳列スタンド６０の斜視図である。また、図７（ｂ）は、商品陳列スタンド６０にリング６１を収納した状態を表す。商品陳列スタンド６０は、リング６１を保持するスリット部６２を有する本体部６３と、本体部６３を収納する箱６４からなる。リング６１の腕部が商品陳列スタンド６０のスリット部６２に挿入される。スリット部６２の弾性によって、リング６１の腕部を弾性保持するとともに、リング６１の着脱が容易な構造となっている。
【００２９】
本体部６３の素材は実施例１の商品陳列スタンド１０、実施例２の商品陳列スタンド２０等と同様のシリコーンゴムである。箱６４の素材は、木板や厚紙、硬化プラスチックなどが用いられる。本体部６３は、あらかじめ箱６４の内幅に合わせて成形され、長手方向に開口したスリット部６２を有する。このとき、本体部６３を箱６４の内幅よりごく僅かに大きく成形することによって、本体部６３はその弾性によって箱６４と密着し、脱落し難い状態となる。
【００３０】
なお、本発明の商品陳列スタンド６０の本体部６３の素材およびシボ加工に関しては、実施例１の商品陳列スタンド１０と同様である。
【実施例７】
【００３１】
以下の実施例７および実施例８は、蓋付きの箱型のスタンドの例である。
図８（ａ）は、宝飾品のうち、特にネックレスに適した本発明の商品陳列スタンド７０の斜視図である。また、図８（ｂ）は、商品陳列スタンド７０にネックレス７１を掛けた状態を表す。商品陳列スタンド７０は、ネックレス７１を掛ける本体部７２と、本体部７２を収納する箱７３と、箱７３を閉じるための蓋７４からなる。閉じた状態の商品陳列スタンド７０は立方体型となる。蓋７４は、箱７３の奥側で蝶番状に接続され、開閉可能となっている。本体部７２は、手前側になだらかに傾斜し、奥側に首部と肩部を有する。ネックレス７１は、チェーンが商品陳列スタンド７０の両肩部に設けられた切り込み部７５に掛けられる。このとき、余分なチェーンは商品陳列スタンド７０の後方に束ねて隠される。商品陳列スタンド７０の奥側の背面下部には、余分なチェーンを収納する空洞部（図示せず）が設けられている。
【００３２】
本体部７２は、あらかじめ箱７３の内幅に合わせて成形される。このとき、本体部７２を箱７３の内幅よりごく僅かに大きく成形することによって、本体部７２はその弾性によって箱７３と密着し、脱落し難い状態となる。
【００３３】
切り込み部７５は、商品陳列スタンド７０の本体部７２の成形の後に、切削により形成される。切り込み部７５の幅は、チェーンの太さに合わせて適宜決定するが、チェーンより細くする。切り込み部７５の弾性によって、チェーンを弾性保持するとともに、チェーンの着脱が容易な構造となっている。
【００３４】
また、箱７３および蓋７４は、ヒンジで接続されて開閉し、箱７３および蓋７４の内側のヒンジ部にはヒンジカバー７６が装着される。ヒンジカバー７６がヒンジ部を覆い隠すように装着されることによって、見る者の注目を宝飾品に集中させる効果がある。
【００３５】
なお、本発明の商品陳列スタンド７０の本体部７２の素材およびシボ加工に関しては、実施例１の商品陳列スタンド１０と同様である。箱７３の素材に関しては、実施例６の商品陳列スタンド６０と同様である。
【実施例８】
【００３６】
図９（ａ）は、宝飾品のうち、特にリングに適した本発明の商品陳列スタンド８０の斜視図である。また、図９（ｂ）は、商品陳列スタンド８０にリング８１を収納した状態を表す。商品陳列スタンド８０は、リング８１を保持するスリット部８２を有する本体部８３と、本体部８３を収納する箱８４と、箱８４を閉じるための蓋８５からなる。閉じた状態の商品陳列スタンド８０は立方体型であるが、辺と頂点には丸みを持たせている。リング８１の腕部が商品陳列スタンド８０のスリット部８２に挿入される。蓋８５は、箱８４の奥側で蝶番状に接続され、開閉可能となっている。リング８１の腕部が商品陳列スタンド８０のスリット部８２に挿入される。
【００３７】
本体部８３は、あらかじめ箱８４の内幅に合わせて成形される。このとき、本体部８３を箱８４の内幅よりごく僅かに大きく成形することによって、本体部８３はその弾性によって箱８４と密着し、脱落し難い状態となる。スリット部８２の弾性によって、リング８１の腕部を弾性保持するとともに、リング８１の着脱が容易な構造となっている。
【００３８】
また、箱８４および蓋８５は、ヒンジで接続されて開閉し、箱８４および蓋８５の内側のヒンジ部にはヒンジカバー８６が装着される。ヒンジカバー８６がヒンジ部を覆い隠すように装着されることによって、見る者の注目を宝飾品に集中させる効果がある。
【００３９】
なお、本発明の商品陳列スタンド８０の本体部８３の素材およびシボ加工に関しては、実施例１の商品陳列スタンド１０と同様である。箱８４の素材に関しては、実施例６の商品陳列スタンド６０と同様である。
【符号の説明】
【００４０】
１０…商品陳列スタンド、１１…ネックレス、１２…切り込み部。
２０…商品陳列スタンド、２１…ネックレス、２２…本体部、２３…支柱、２４…台座、２５…切り込み部。
３０…商品陳列スタンド、３１…ピアス、３２…本体部、３３…支柱、３４…台座、３５…ホール。
４０…商品陳列スタンド、４１…リング、４２…本体部、４３…支柱、４４…台座。
５０…商品陳列スタンド、５１…ネックレス、５２…切り込み部、５３…ピアス。
６０…商品陳列スタンド、６１…リング、６２…スリット部、６３…本体部、６４…箱。
７０…商品陳列スタンド、７１…ネックレス、７２…本体部、７３…箱、７４…蓋、７５…切り込み部、７６…ヒンジカバー。
８０…商品陳列スタンド、８１…リング、８２…スリット部、８３…本体部、８４…箱、８５…蓋、８６…ヒンジカバー。
【図１】
2020010848.tif 000003
【図２】
2020010848.tif 000004
【図３】
2020010848.tif 000005
【図４】
2020010848.tif 000006
【図５】
2020010848.tif 000007
【図６】
2020010848.tif 000008
【図７】
2020010848.tif 000009
【図８】
2020010848.tif 000010
【図９】
2020010848.tif 000011